(57)【要約】無線通信システムが、下りリンク・チャネルでデータ・パケット列を第二局に送信するのに適合した第一局を有する。この第一局は、下りリンク・チャネルのドップラー拡散に関する特性を測定し、この特性を用いてパケット送信に適したパラメータを決定する。ドップラー拡散の兆候を求めることができると考えられる特性は、受信信号対干渉比や送信された電力制御コマンドなどである。パケット送信について考え得るパラメータは、送信電力、変調・符号化スキーム、誤って受信されたパケットの再送までの遅延、拡散率などである。上りリンク信号特性又は送信された電力制御コマンドに基づいてパケット送信パラメータを決定することにより、第二局が無線チャネル特性を測定し、これらを第一局へ伝達する必要性が無くなるため、伝送トラフィック及び全体の干渉レベルが低減し、バッテリ寿命が延びる。
2004530342.tif 000002
【特許請求の範囲】
【請求項１】
下りリンク・チャネルでデータ・パケット列を第二局に送信する手段と上りリンク・チャネルで前記第二局から情報を受信する手段とを有する第一局を有する無線通信システムであって、
前記第一局は、前記下りリンク・チャネルのドップラー拡散に関する特性を測定する手段と、前記データ・パケット列からデータ・パケット送信に関する送信パラメータ値を決定する手段と、を有し、
前記選択されたパラメータ値は、少なくとも部分的に前記測定された特性に依存する、ことを特徴とするシステム。
【請求項２】
請求項１記載のシステムであって、
前記決定された送信パラメータは、該パケット用の送信電力、該パケット用の変調・符号化スキーム、該パケットが誤って受信された場合の再送までの遅延、及び該パケットの拡散率、のうちの１つであることを特徴とするシステム。
【請求項３】
下りリンク・チャネルでデータ・パケット列を第二局に送信する手段と上りリンク・チャネルで前記第二局から情報を受信する手段とを有する第一局であって、
前記下りリンク・チャネルのドップラー拡散に関する特性を測定する手段と、前記データ・パケット列からデータ・パケット送信に関する送信パラメータ値を決定する手段と、が備えられ、
前記選択されたパラメータ値は、少なくとも部分的に前記測定された特性に依存する、ことを特徴とする第一局。
【請求項４】
請求項３記載の第一局であって、
前記上りリンク・チャネルから求められた特徴から前記ドップラー拡散に関する特性を測定する手段が備えられることを特徴とする第一局。
【請求項５】
請求項４記載の第一局であって、
前記上りリンク・チャネルから求められた特徴は所定期間に渡って平均化された受信信号対干渉比の変化速度であることを特徴とする第一局。
【請求項６】
請求項３記載の第一局であって、
前記第二局へ送信された電力制御コマンドから前記ドップラー拡散に関する特性を測定する手段が備えられることを特徴とする第一局。
【請求項７】
請求項６記載の第一局であって、
所定期間中に前記第一局によって発行された電力制御コマンド・シーケンス、所定期間中に前記第一局によってリクエストされた上りリンク電力の平均変化量、及び前記第一局によってリクエストされた上りリンク電力の時間加重平均変化量、のうちの１つから前記ドップラー拡散に関する特性を測定する手段が備えられることを特徴とする第一局。
【請求項８】
下りリンク・チャネルでデータ・パケット列を第二局に送信すると共に上りリンク・チャネルで前記第二局から情報を受信するように構成された第一局を有する無線通信システムの作動方法であって、
前記第一局が、前記下りリンク・チャネルのドップラー拡散に関する特性を測定すると共に前記データ・パケット列からデータ・パケット送信に関する送信パラメータ値を決定し、
前記選択されたパラメータ値は、少なくとも部分的に前記測定された特性に依存する、ことを特徴とする方法。
【請求項９】
請求項８記載の方法であって、
前記データ・パケットの送信は誤って受信されたデータ・パケットの再送であることを特徴とする方法。
【請求項１０】
請求項８記載の方法であって、
前記データ・パケットの送信は誤って受信されたデータ・パケットに関する誤り訂正情報の送信であることを特徴とする方法。
【請求項１１】
請求項８記載の方法であって、
前記第一局が測定された前記上りリンク・チャネルの特徴から前記ドップラー拡散に関する特性を測定することを特徴とする方法。
【請求項１２】
請求項１１記載の方法であって、
前記ドップラー拡散に関する特性は所定期間に渡って平均化された受信信号対干渉比の変化速度であることを特徴とする方法。
【請求項１３】
請求項８記載の方法であって、
前記第一局が前記第二局へ送信された電力制御コマンドから前記ドップラー拡散に関する特性を測定することを特徴とする方法。
【請求項１４】
請求項１３記載の方法であって、
前記第一局が、所定期間中に前記第一局によって発行された電力制御コマンド・シーケンス、所定期間中に前記第一局によってリクエストされた上りリンク電力の平均変化量、及び前記第一局によってリクエストされた上りリンク電力の時間加重平均変化量、のうちの１つから前記ドップラー拡散に関する特性を測定することを特徴とする方法。
【発明の詳細な説明】
【技術分野】
【０００１】
本発明は、無線通信システム、該システムにおいて用いられる第一局、及び該システムの作動方法に関する。本特許明細書は、特に新興のユニバーサル・モバイル・テレコミュニケーション・システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ；ＵＭＴＳ）を参照してシステムの説明をしているが、このような技術は他の移動無線システムでの使用にも等しく適用可能であることは明らかである。
【背景技術】
【０００２】
パケット無線通信システムでは、第一局から第二局へ送信されるデータは、例えばチェック・サムなどのいくつかのエラー・チェック情報を含むデータ・パケットに分割される。第二局から否定応答（ＮＡＣＫ）が受信されると、壊れた状態で受信されたあらゆるパケットは、第一局によって再送される。完全なデータ・パケットを再送する代わりに、第一局はＮＡＣＫに応答して第二局に該パケットに関する誤り訂正情報を送信してもよい。
【０００３】
このようなシステムは、音声通話と異なり、時間に厳しくないデータの送信に適している。移動通信の分野では、大きなデータ・ブロックを移動局（ＭＳ）へ要求に応じて合理的な速度でダウンロードできる能力を有するシステムに対する要望が高まりを見せている。このようなデータは、例えば、ビデオ・クリップなどを含み得るインターネットからのウェブ・ページである。通常、特定のＭＳはそのようなデータを間欠的にしか要求できないため、固定された帯域幅専用のリンクは適切でない。このようなシステムの一例として、移動局へのパケット・データの転送を最大４Ｍｂｐｓまで促進し得るＨＳＤＰＡ（Ｈｉｇｈ−Ｓｐｅｅｄ  Ｄｏｗｎｌｉｎｋ  Ｐａｃｋｅｔ  Ａｃｃｅｓｓ）スキームが開発されている。
【０００４】
最初にパケットを送信する際に第一局が設定する必要があるパラメータは、後続の送信及び再送の際と同様、多く存在する。このようなパラメータは、例えば、送信電力、変調・符号化スキーム（ＭＣＳ）、拡散率、（ＵＭＴＳなどのスペクトラム拡散システムにおいては）チャネル化コード数、送信データ・パケットのサイズ、及び、再送と特定のパケットとの間の遅延（或いは、再送に割り当てられた送信優先度）などである。
【０００５】
これらのパラメータに対して適切な値を選択する既知の技術は、一般的に、第二局に第二局の送信電力（これから第一局は伝送路損失を推定できる）や伝送路損失の直接推定値などの情報を提供する測定値を送信することを要求する。しかし、これら既知の技術は、かなりの量の情報を第一局に送ることを第二局に要求するため、該システムにおける干渉レベルが増加し、第二局のバッテリ寿命が縮まる、とするという欠点を有する。
【０００６】
我々の同時係属（未公開）国際特許出願ＰＣＴ／ＥＰ０１／０３１３８及びＰＣＴ／ＥＰ０１／０１５４８（出願人リファレンス：それぞれＰＨＧＢ００００３８及びＰＨＧＢ００００３９）は、第一局によって受信された信号の特性又は第一局によって送信された電力制御コマンドに応じて、第二局からの送信に対する適切な電力制御パラメータを選択する手段を開示している。これら後者の技術は効果的である。なぜなら、電力制御パラメータの選択が無線チャネルのドップラー拡散に大幅に依存するからである（ドップラー拡散は、受信局によって受信された時の信号周波数と送信された時の信号周波数との最大差として定義される。例えば、ＪＤ  Ｐａｒｓｏｎｓ、「Ｔｈｅ  Ｍｏｂｉｌｅ  Ｒａｄｉｏ  Ｐｒｏｐａｇａｔｉｏｎ  Ｃｈａｎｎｅｌ」第二版、Ｗｉｌｅｙ、２０００年、第５章、参照。）。このドップラー拡散は、第二局の移動速度に密接に関連する場合が多い。米国特許第５，５８５，８０５号は、２つの受信回路によって測定された測定値に基づいて移動曲がその速度を測定できる方法について開示しているが、この方法は２つの受信器が必要であるという欠点を有する。
【０００７】
（発明の開示）
本発明の目的は、追加的な情報伝達を必要とすることなく、パケット送信についてのパラメータの改善された選択を提供することである。
【０００８】
本発明の第一の態様によれば、下りリンク・チャネルでデータ・パケット列を第二局に送信する手段と上りリンク・チャネルで上記第二局から情報を受信する手段とを有する第一局を有する無線通信システムであって、上記第一局は、上記下りリンク・チャネルのドップラー拡散に関する特性を測定する手段と、上記データ・パケット列からデータ・パケット送信に関する送信パラメータ値を決定する手段とを有し、上記選択されたパラメータ値は少なくとも部分的に上記測定された特性に依存するシステムが提供される。
【０００９】
第一局が自身で下りリンク・チャネルのドップラー拡散に関する特性を測定し、該特性に基づいてパケット送信パラメータを決定するように構成することによって、第二局が無線チャネル特性を測定し、これらを第一局へ伝達する必要性が低減するため、伝送トラフィック及び全体の干渉レベルが低減し、バッテリ寿命が延びる。このドップラー拡散に関する特性は、例えば、受信上りリンク信号対干渉比又は送信された電力制御コマンドから測定され得る。パケット送信について考え得るパラメータは、電力制御コマンド、変調・符号化スキーム、誤って受信されたパケットの再送までの遅延、又は拡散率などである。
【００１０】
本発明の第二の態様によれば、下りリンク・チャネルでデータ・パケット列を第二局に送信する手段と上りリンク・チャネルで上記第二局から情報を受信する手段とを有する第一局であって、上記下りリンク・チャネルのドップラー拡散に関する特性を測定する手段と、上記データ・パケット列からデータ・パケット送信に関する送信パラメータ値を決定する手段とが備えられ、上記選択されたパラメータ値は少なくとも部分的に上記測定された特性に依存する第一局が提供される。
【００１１】
本発明の第三の態様によれば、下りリンク・チャネルでデータ・パケット列を第二局に送信すると共に上りリンク・チャネルで上記第二局から情報を受信するように構成された第一局を有する無線通信システムの作動方法であって、上記第一局が、上記下りリンク・チャネルのドップラー拡散に関する特性を測定すると共に上記データ・パケット列からデータ・パケット送信に関する送信パラメータ値を決定し、上記選択されたパラメータ値は少なくとも部分的に上記測定された特性に依存する方法が提供される。
【００１２】
本発明は、第一局によるデータ・パケットの送信に対するパラメータは、上りリンク信号の特性又は下りリンク・チャネルについての電力制御コマンドに基づいて決定することができる、という従来技術には提示されていない認識に基づいている。
【００１３】
（本発明を実施するための態様）
ここで、添付図面を参照して、本発明の実施形態を、一例として、説明する。
【００１４】
図１において、無線通信システムは、第一局（ＢＳ）１００と、複数の第二局（ＭＳ）１１０とを有する。ＢＳ１００は、マイクロコントローラ（μＣ）１０２と、アンテナ手段１０６に接続された送受信手段（Ｔｘ／Ｒｘ）１０４と、送信電力レベルを変える電力制御手段（ＰＣ）１０７と、ＰＳＴＮ若しくは他の適当な網との接続のための接続手段１０８とを有する。各ＭＳ１１０は、マイクロコントローラ（μＣ）１１２と、アンテナ手段１１６に接続された送受信手段（Ｔｘ／Ｒｘ）１１４と、送信電力レベルを変える電力制御手段（ＰＣ）１１８とを有する。基地局１００から移動局１１０への通信は、下りリンク・チャネル１２２において行われ、移動局１１０から基地局１００への通信は上りリンク・チャネル１２４において行われる。
【００１５】
現在仕様が定められたＵＭＴＳにおいて、上りリンク電力制御の狙いは、ＭＳ１１０にその送信電力を変えるように指示することによって、ＢＳ１００によって受信される信号の信号対干渉比（ＳＩＲ）を所定の目標レベルに維持することである。これら指示は、２状態の送信電力制御（ＴＰＣ）コマンドによって運ばれる。ＴＰＣコマンドは、通常、タイムスロットごとに１度（１０ｍｓフレームごとに１５タイムスロット）送信されるが、一フレーム中の一部のタイムスロットのみが用いられるゲーティッド・モード（ｇａｔｅｄ  ｍｏｄｅ）（このモードは現在仕様策定中）ではより少ない頻度で送信される。ステップのサイズは、２つのパラメータ：ＰＣＡ（電力制御アルゴリズム）及びΔＴＰＣ（上りリンク送信電力制御ステップサイズ）によって制御され、結果として３つの有効な電力制御ステップサイズが使用可能となる。
【００１６】
ＰＣＡの値が１のとき、ΔＴＰＣは１又は２の値を採ることができる。受信されたＴＰＣコマンドが「０」の場合、ＭＳ１１０はその送信電力をΔＴＰＣｄＢ下げ、受信されたコマンドが「１」の場合、ＭＳ１１０はその送信電力をΔＴＰＣｄＢ上げる。
【００１７】
ＰＣＡの値が２のとき、ΔＴＰＣは１の値しか採ることができず、ＭＳ１１０は５つのＴＰＣコマンドを１まとめにする。５つのＴＰＣコマンドすべてが「１」の場合、送信電力はΔＴＰＣｄＢ上げられ、それ以外の場合には送信電力が変えられない。この方法は、我々の国際特許出願ＷＯ００／７４２６０において開示したような約０．２ｄＢの電力制御ステップサイズの使用に事実上引けを取らない。
【００１８】
ＵＭＴＳシステムにおける基本的な内部ループ電力制御では、ＢＳ１００がタイムスロットごとに受信ＳＩＲ値を測定する（測定はより高い／低い頻度でもよい）。受信ＳＩＲが目標レベルより大きい場合、次にＢＳ１００からＭＳ１１０へ送られるＴＰＣコマンドは（ＭＳ１１０に送信電力の減少を指示する）「０」となり、それ以外の場合には次のＴＰＣコマンドは（ＭＳ１１０に送信電力の増加を指示する）「１」となる。
【００１９】
ＭＳ１１０へ送られたＴＰＣコマンド・シーケンスの統計的特性の分析を用いて、上りリンク・チャネル１２４のドップラー拡散に関する特性を求めることができる。幾つかのシナリオ例を考えてみる。
【００２０】
・ＴＰＣコマンドが規則的に交互に並んでいる場合、上りリンク・チャネル１２４の信号のＳＩＲがＳＩＲ閾値に非常に接近したままであり、無線チャネルが非常にゆっくりと変化し、ドップラー拡散が低いことを示している。
【００２１】
・同一のＴＰＣコマンドが並んでいる場合、上りリンク・チャネル１２４はより高いドップラー拡散でより高速に変化していることを示している。
【００２２】
・ＴＰＣコマンドが明らかにランダムに並んでいる場合、上りリンク・チャネル１２４の変化速度が内部ループ電力制御の更新速度より大きく、通常はドップラー拡散が高いことを示している。
【００２３】
上記例に加えて又は代えて、送信されたＴＰＣコマンドについての別の統計的分析から上りリンク・チャネル１２４のドップラー拡散に関する特性についてのより多くの情報を求めることも可能である。分析に適したパラメータは、例えば、
・固定された又は移動する時間区間中に測定された上りリンク電力の平均純リクエスト変化量、及び
・固定された又は移動する時間区間中に測定された上りリンク電力の時間加重平均リクエスト変化量（ここでは、例えば、新しい変化量ほど従前の変化量より高い重みが割り当てられる）、
である。
【００２４】
これらのパラメータのいずれかは、例えば、再帰的に計算され、最新のＴＰＣコマンドの値を用いてタイムスロット毎に更新される。
【００２５】
上りリンク・チャネル１２４の特性は、ＢＳ１００が直接測定することも可能である。例えば、受信ＳＩＲの測定値を用いて、通常はｄ（ＳＩＲ）／ｄｔの実効値（ｒｍｓ値；二乗平均平方根値）であるＳＩＲの変化速度の大きさの平均値を計算することができる。シミュレーションでは、（スロットあたり１回のＳＩＲ測定に基づくとき）タイムスロットあたりのＳＩＲの実効変化量は、内部ループ電力制御が存在する場合であっても、チャネルのフェージング速度に密接に関連することが示された。別のシミュレーションでは、ｒｍｓ平均化処理はかなりの数のフレームに渡って実行される必要があり、例えば３０フレーム（すなわち、０．３秒）に渡って平均化すると良好な結果が得られることが分かった。例えば、受信信号電力やＥｂ／Ｎｏ（ビットあたりのエネルギ／雑音密度）などの上りリンク・チャネル１２４に関する他の特性もＢＳ１００によって測定され得る。
【００２６】
一般的に、ドップラー効果による周波数拡散が存在し、最大フェージング速度はドップラー拡散によって決定される。一例として、ＰＣＴ／ＥＰ０１／０３１３８において説明されたシミュレーションは、１．２〜２．６のｄ（ＳＩＲ）／ｄｔの値は５５〜１５０Ｈｚのドップラー拡散を意味し、これは、３０〜８０ｋｍ／ｈで移動するＭＳ１１０から生じる可能性が高い。
【００２７】
本発明に従って作られたシステムの一実施形態において、ＭＳ１１０へ送信されたＴＰＣコマンドのパターンを分析する技術及び／又はＭＳ１１０からの受信信号の変動を分析する技術は、ＢＳ１００からＭＳ１１０へのパケット送信に用いるＭＣＳを選択する際に考慮される。この情報は、パケットの最初の送信及び／又はパケットのあらゆる後続の再送のためにパラメータを設定するのに用いられてもよい。ＢＳ１００によって直接求められ得る情報を用いることによって、上りリンク・チャネル１２４で送信されなければならない情報量を減らすことができる。
【００２８】
図２は、このようなシステムの作動方法をまとめたフローチャートである。本方法は、工程２０２において、ＢＳ１００がＭＳ１１０へ送信するためのデータ・パケットを持ったときに開始される。ＢＳ１００は、工程２０４において、ＢＳ１００が下りリンク・チャネル１２２を通じてＭＳ１１０へ送信してきたＴＰＣコマンドのパターンを分析する。代替案として、ＢＳ１００は、ＭＳ１１０から受信した信号の変動を分析してもよい。この分析の結果は、上りリンク・チャネルのドップラー拡散を表すと共に、一般的には、下りリンク・チャネルのおよそのドップラー拡散を表していると解釈できる（なぜなら、ドップラー拡散はＭＳ１１０の速度に大幅に依存するため）。よって、工程２０６において、これらを用いてパケット送信のためのパラメータを設定することができる。次いで、ＢＳ１００は、工程２０８において、これらパラメータを用いて１以上のパケットを送信し、その後、工程２０４に戻ってＴＰＣコマンドの分析を繰り返す。
【００２９】
一具体例として、既知のドップラー拡散を用いて、最適な変調スキームの決定を助けてもよい。シミュレーション結果では、６４ＱＡＭ（直交振幅変調）を用いると、ＭＳ１１０が高速に移動している場合（よって、高いドップラー拡散を有する場合）のマルチバス・チャネルでのＦＥＲ（フレーム誤り率）を大幅に下げることができることが示された。よって、１以上の上記技術を用いて測定されたドップラー拡散を用いて、６４ＱＡＭなどの高次の変調スキームの使用が有益であるか否かを判断することができる。
【００３０】
通常はＭＳ１１０の速度に大幅に依存するドップラー拡散は、パケット・エラーの統計、特に失敗したパケットの再送も失敗する確率、に影響を与える。例えば、パケットの最初の送信がフェージングのために誤って受信された状況を考える。下りリンク・チャネル１２２のフェージング周波数が低い場合、失敗したパケットを直ちに再送しても、チャネル１２２が依然としてフェードしている確率が高いため失敗する可能性が高い。
【００３１】
フェージング周波数が比較的高い場合、特定のパケットの最初の送信についての既知の状態と該パケットの再送が失敗する確率との間のなんらかの相関を予測することは難しくなる。このような状況において、失敗したパケットの再送に追加的な遅延を適用することで、再送が成功する確率を、概して、維持することができる。
【００３２】
したがって、一般的な原則として、ドップラー拡散が低い場合（一般的には、ＭＳ１１０がゆっくり移動していることを示す）には再送をより長い期間遅延させると有益であり、ドップラー拡散が比較的高い場合（一般的には、ＭＳ１１０が高速で移動していることを示す）にはできるだけ直ちに再送すると有益である。受信信号の変動及び／又は送信したＴＰＣコマンド・パターンを分析する上記方法を用いて、ドップラー拡散が高いか低いかの兆候を求めることができ、よって最適な再送遅延がどのくらいかも求めることができる。ドップラー拡散が高いか低いかに関する適切な閾値を決定すると共に、ドップラー拡散に応じた適切な再送遅延を決定するのに、ルーチン・システム・シミュレーションが用いられ得る。
【００３３】
上記方法の代わりに又は加えて、受信信号の変動及び／又は送信したＴＰＣコマンド・パターンの分析から得られたドップラー拡散に関する情報は、再送の際の適切な電力レベルを決定するのに用いることもできる。例えば、ドップラー拡散が低い場合、ドップラー拡散が比較的高い場合に同じ再送遅延のために用いられる電力よりも高い電力が高速な再送のために用いられる。同様に、ドップラー拡散が低いという情報は、より冗長な及び／又はより信頼性の高い符号化スキームを用いること及び／又は高速な再送のためにより低次の変調スキームを用いることを決定するのに用いられ得る。
【００３４】
上記方法に更に代えて又は加えて、ドップラー拡散に関する情報は、送信データ・パケットの適切なサイズ（すなわち、１パケットに含まれるデータ・ビットの適切な数）を決定するのにも用いることもできる。例えば、ドップラー拡散が大きいとき、データ・パケットのサイズを減らすことが有益となり得る。
【００３５】
本発明は、上りリンク・チャネル１２４の測定された又は推定された特性を用いて下りリンク・チャネル１２２についてのパケット送信パラメータを設定するシステムに対して適用可能である。上記説明は、パケット送信パラメータについての適切な設定を決定するＢＳ１００に関する。現実には、パラメータ値の設定は、例えば、固定インフラのＭＳ１０と直接接続する部分である「ノードＢ」や、より高いレベルの無線ネットワーク制御局（ＲＮＣ）、などの様々な固定インフラの部分の責任とし得る。よって、本明細書において、「基地局」又は「第一局」という用語は、ネットワーク固定インフラのうちパラメータ値の決定及び設定を担う部分を含むものとして用いられると理解されるべきである。
【００３６】
ＢＳ１００からＭＳ１１０へのデータ・パケットの送信において用いられるのと同様に、上記技術は、逆方向のパケット送信について適切なパラメータを選択するのにも用いることができる。この場合、ＢＳ１００及びＭＳ１１０の役割は、上記説明の場合と逆になり、ＢＳ１００が第二局の役割を担い、ＭＳ１１０が第一局の役割を担う。
【００３７】
本開示を読めば、当業者には他の変形例も明らかであろう。そのような変形例は、無線通信システム及びその構成部品の設計、製造、及び使用において既に知られ、ここで既に説明された機能の代わり若しくは加えて使用され得る他の機能を含み得る。
【００３８】
本明細書及び請求項において、要素に先立つ「ａ」若しくは「ａｎ」という語は、そのような要素が複数個存在する場合を除外しない。更に、「ｃｏｍｐｒｉｓｉｎｇ（有する、含む）」という語は、リストアップされた以外の要素若しくは工程の存在を除外しない。
【図面の簡単な説明】
【００３９】
【図１】無線通信システムの概略ブロック図である。
【図２】本発明に係るパケット送信パラメータ決定方法を示すフローチャートである。
【図２】
2004530342.tif 000003
【国際公開パンフレット】
2004530342.tif 000004
2004530342.tif 000005
2004530342.tif 000006
2004530342.tif 000007
2004530342.tif 000008
2004530342.tif 000009
2004530342.tif 000010
2004530342.tif 000011
2004530342.tif 000012
2004530342.tif 000013
2004530342.tif 000014
2004530342.tif 000015
2004530342.tif 000016
2004530342.tif 000017
2004530342.tif 000018
【国際調査報告】
2004530342.tif 000019
2004530342.tif 000020
2004530342.tif 000021